(57)【特許請求の範囲】
【請求項１】
ナットが取り付けられたネジを有し、取付面に取り付けられる取付金具であって、上記取付面に取り付けられた場合に、上記ネジが上記取付面から突出する取付金具と、
電源線が挿入される電源線引込孔と、上記電源線引込孔と連通した取付孔とが設けられるとともに、上記電源線引込孔と上記取付孔との連通部分の幅が、上記電源線の径よりも狭くなるように、上記連通部分に配線保護壁が設けられた取付部を有する器具本体と、
上記器具本体に取り付けられ、上記電源線が接続される通電部品と
を備え、
上記電源線が上記電源線引込孔に引き込まれた状態で、上記ナットが上記電源線引込孔を通り抜けるまで上記ネジが上記電源線引込孔に挿入され、上記器具本体が上記取付面の面方向へスライドされて上記ネジが上記取付孔を貫通した状態にされ、さらに上記ナットが締めあげられて、上記取付部が上記ナットと上記取付金具との間に挟持され、上記電源線が上記電源線引込孔に引き込まれた状態が保持される
ことを特徴とする通電機器。
【発明の詳細な説明】
【技術分野】
【０００１】
本発明は、例えば、天井等の取付面に取り付けられ、電力により動作する通電機器に関する。
【背景技術】
【０００２】
天井等に取り付けられる誘導灯において、電源線を装置内へ引き込む電源線引込孔を取付面の中央に有し、電源線引込孔の両側にねじを通す取付孔を有する誘導灯がある。この誘導灯は、取付孔にねじを通して天井へねじ止めすることにより、天井へ取り付けられる。
【先行技術文献】
【特許文献】
【０００３】
【特許文献１】特開２００１−３５１４１９号公報
【特許文献２】特開平８−１６７３１４号公報
【特許文献３】特開平７−７３７２１号公報
【特許文献４】特開２０００−１５６１１６号公報
【特許文献５】特開２００１−３５１４１９号公報
【発明の概要】
【発明が解決しようとする課題】
【０００４】
建築物において、誘導灯は消防法にて規定された場所に設置することが義務付けられている。一方、建築設計の視点からは、誘導灯は極力設置しないことが望まれる。そのため、誘導灯の小型化、薄型化が要求されている。
従来の誘導灯の構成では、小型化、薄型化が進んでしまうと天井等の取付面への取り付けが困難となり、ある程度以上の小型化、薄型化ができない。つまり、取付面へ小型化、薄型化された誘導灯を取り付ける場合には、内蔵する部品とねじ挿入孔とのクリアランスが少なく、ねじを回すことが困難である。特に、天井等の取付面への取り付けの際は、片方の手で誘導灯を取付面へ押し当てながら、もう片方の手でねじを回す必要があり、クリアランスの少ない状態での作業は非常に困難である。
また、誘導灯に限らず、天井等に取り付けられる他の電子機器等であっても、建築設計の視点からは、極力目立たないようにすることが望まれる場合がある。天井等に取り付けられる他の電子機器等であっても、誘導灯と同様に、小型化、薄型化が進んでしまうと天井等の取付面への取り付けが困難となり、ある程度以上の小型化、薄型化ができない。
本発明は、例えば、誘導灯や取付面に取り付けられるその他の電子機器が小型化、薄型化されても容易に取付面へ取り付け可能とすることを目的とする。
【課題を解決するための手段】
【０００５】
本発明に係る通電機器は、
ナットが取り付けられたネジを有し、取付面に取り付けられる取付金具であって、上記取付面に取り付けられた場合に、上記ネジが上記取付面から突出する取付金具と、
電源線が挿入される電源線引込孔と、上記電源線引込孔と連通した取付孔とが設けられるとともに、上記電源線引込孔と上記取付孔との連通部分の幅が、上記電源線の径よりも狭くなるように、上記連通部分に配線保護壁が設けられた取付部を有する器具本体と、
上記器具本体に取り付けられ、上記電源線が接続される通電部品と
を備え、
上記電源線が上記電源線引込孔に引き込まれた状態で、上記ナットが上記電源線引込孔を通り抜けるまで上記ネジが上記電源線引込孔に挿入され、上記器具本体が上記取付面の面方向へスライドされて上記ネジが上記取付孔を貫通した状態にされ、さらに上記ナットが締めあげられて、上記取付部が上記ナットと上記取付金具との間に挟持される
ことを特徴とする。
【発明の効果】
【０００６】
本発明に係る通電機器によれば、ナットが大孔を通り抜けるまでネジが電源線引込孔に挿入され、取付部が長手方向にスライドされてネジが取付孔を貫通した状態にされる。この状態では、作業者が手を離しても通電機器が取付面から落下することがない。また、取付部がスライドされる際、電源線引込孔に引き込まれた電源線は、ネジとともに取付孔に移動して傷つくことが配線保護壁により防止される。そして、ナットが締めあげられて、取付部がナットと取付金具との間に挟持され、通電機器が取付面に固定される。
【図面の簡単な説明】
【０００７】
【図１】分解表示した表示装置１００を示す分解斜視図。
【図２】取付部１０の構造を示す図。
【図３】取付面と取付金具９と取付部１０との断面図。
【図４】取付部１０の構造の他の例を示す図。
【図５】取付面と取付部１０との断面図。
【発明を実施するための形態】
【０００８】
実施の形態１．
図１は、表示装置１００を示す分解斜視図である。ここでは、通電機器の一例である表示装置１００について説明する。
表示装置１００は、天井等の取付面に取り付けられ、所定の情報を表示する機器である。表示装置１００は、枠部１と情報表示部２とを有する器具本体３と、ランプホルダユニット４と、点灯制御部５と、バッテリー６と、取付部７と、端子台８と、取付金具９とを備える。
【０００９】
枠部１は、表示装置１００の筐体となる部分である。枠部１には、情報表示部２が取り付けられる。図１では、枠部１は、底面と側面とを有する四角形のお盆状に構成されている。
情報表示部２は、所定の情報を表示する。所定の情報とは、例えば、避難誘導を示す図柄等である。所定の情報は、避難誘導を示す図柄に限られず、案内情報、警告情報等いかなる情報であっても構わない。情報表示部２は、図１では、お盆状に構成された枠部１の開口部を塞ぐように取り付けられる。
器具本体３は、枠部１と情報表示部２とを備える箱型のケースである。器具本体３は、内部に点灯制御部５、バッテリー６、取付部７、端子台８等の機器を収納する。
ランプホルダユニット４は、光源となるランプを保持する。ランプの光が情報表示部２へ入射するように、ランプホルダユニット４は枠部１又は情報表示部２に取り付けられる。つまり、情報表示部２は、ランプホルダユニット４に保持されたランプの光によって照らされる。そのため、情報表示部２が表示した情報は、暗い部屋の中等であっても識別可能となる。図１では、ランプホルダユニット４は、器具本体３の外側に取り付けられているが、器具本体３の内側に取り付けられても構わない。
点灯制御部５は、ランプホルダユニット４が保持するランプの点灯状態を制御する。点灯制御部５は、通常時には商用電源からの電力によりランプを点灯させ、商用電源から電力が供給されない非常時には非常時電源からの電力によりランプを点灯させる。
バッテリー６は、非常時電源である。バッテリー６は、点灯制御部５により制御され、非常時にランプを点灯させる電力を供給する。バッテリー６を備えず、表示装置１００を取り付ける施設等に設けられた非常用電源設備を非常時電源としても構わない。
取付部７は、所定の機器を取り付けることができる。取付部７は、器具本体３に取り付けられる。
端子台８は、商用電源等と接続された電源線と接続される。端子台８を介して、点灯制御部５等へ電力が供給される。
取付金具９は、天井等の取付面に取り付けられるとともに、枠部１の取付部１０に取り付けられる。取付金具９は、まず、ねじ等の取付部材を取付金具９の金具取付孔１１に通し取付面に固定することで、取付面に固定される。そして、取付面に固定された取付金具９に枠部１の取付部１０を固定することにより、表示装置１００が取付面に固定される。
【００１０】
次に、枠部１の取付部１０の構造と、取付金具９に枠部１の取付部１０を固定する方法とを説明する。
まず、取付部１０の構造について説明する。図２は、この実施の形態に係る取付部１０の構造を示す平面図である。
取付部１０は、電源線引込孔１３と、取付孔１４と、ダルマ孔１５と、取付孔１６とを備える。
電源線引込孔１３は、取付面から出ている電源線を枠部１の内部へ引き込むための孔である。電源線引込孔１３は、取付孔１４よりも径が大きい。
取付孔１４は、ねじ等の取付部材を通す孔である。取付孔１４は、電源線引込孔１３と開口部の一部が連続する。
ダルマ孔１５は、径の大きい大孔１５−１と、径の小さい小孔１５−２とを備え、大孔１５−１と小孔１５−２とは、隣接して開口部の一部が連続する。
取付孔１６は、側面視Ｌ字状の補強板２１を取り付けるための孔である。ここで、補強板２１とは、器具本体３の取付面（取付部１０と底面）を補強するためのものであり、器具本体３の内側に取付部１０と底面とに跨って取り付けられる器具である。
また、電源線引込孔１３と取付孔１４との開口部が連続する部分には、広開部１７と、配線保護壁１８とが設けられる。
広開部１７は、電源線引込孔１３よりも径の小さい孔であって、取付孔１４よりも径の大きい孔である。広開部１７は、電源線引込孔１３側から取付孔１４側へ向かって徐々に開口部の径が狭まっている。
配線保護壁１８は、電源線引込孔１３と広開部１７との開口部が連続する部分の幅を狭めるように設けられた部材である。配線保護壁１８は、枠部１と一体的に樹脂等で形成して、電源線を保護する。
なお、配線保護壁１８は、枠部１と一体的に形成することなく別体としてもよく、この場合、例えばゴムなどの弾性体で形成してもよい。
さらに、取付部１０の厚さ方向（図２のＤ方向）の両端部には挿入溝２３が設けられている。挿入溝２３は、取付金具９に取付部１０が密着した場合に、取付金具９の挿入片２２が挿入される孔である。ここで、取付金具９の挿入片２２とは、取付金具９の端部を略垂直に折り曲げた部分である。
【００１１】
次に、取付金具９に枠部１の取付部１０を固定する方法について説明する。図３は、取付面と、取付金具９と、取付部１０との断面図である。図３の取付金具９は、図１のＡ−Ａ’断面図であり、図３の取付部１０は、図１のＢ−Ｂ’断面図である。なお、図３は取付金具９に枠部１の取付部１０を固定する方法について説明するための図であるため、リブ２４等の記載を省略し簡略化している。
（１）まず前提として、取付金具９を取付面に固定する。取付金具９の金具取付孔１１ｂと金具取付孔１１ｃとにねじ等の取付部材を通して取付面に固定することにより、取付金具９を取付面に固定する。この際、取付面から出ている電源線を取付金具９の金具電源線引込孔１２へ通しておく。
（２）取付金具９の金具電源線引込孔１２を通った電源線を電源線引込孔１３から枠部１の内部へ引き込む。
（３）取付金具９に取り付けられた２つのねじ１９（取付部材）を広開部１７（あるいは電源線引込孔１３）とダルマ孔１５の大孔１５−１とへそれぞれ嵌入する。なお、取付金具９に取り付けられたねじ１９にはナット２０（頭部）が取り付けられている。このナット２０が広開部１７（あるいは電源線引込孔１３）と大孔１５−１とを貫通して、ねじ１９を広開部１７（あるいは電源線引込孔１３）と大孔１５−１とへ嵌入する。ここで、ナット２０は取付孔１４と小孔１５−２とよりも径が大きく、かつ、広開部１７と大孔１５−１とよりも径が小さい。一方、ねじ１９（胴部）は、取付孔１４と小孔１５−２とよりも径が小さい。
なお、ねじ１９を広開部１７ではなく電源線引込孔１３へ必ず嵌入するのであれば、ナット２０は広開部１７よりも径が大きく、電源線引込孔１３よりも径が小さいとしても構わない。
（４）枠部１を取付面の面方向へスライドさせて、広開部１７（あるいは電源線引込孔１３）と大孔１５−１とに嵌入された２つのねじ１９それぞれを取付孔１４と小孔１５−２とへ移動させる。そして、２つのねじ１９をそれぞれ取付孔１４と小孔１５−２とに嵌合させることにより、取付部１０を取付金具９に固定する。つまり、取付面の面と平行に、広開部１７から見て取付孔１４とは逆の方向（図２のＣ方向）へ枠部１をスライドさせて、２つのねじ１９をそれぞれ取付孔１４と小孔１５−２とに移動させる。そして、ねじ１９（胴部）が取付孔１４と小孔１５−２を貫通した状態であり、ねじ１９に取り付けられたナット２０が取付孔１４と小孔１５−２との背面に引っ掛かった状態とする。この状態であれば、作業員が表示装置１００から手を離しても、表示装置１００が取付面から落ちることはない。
（５）ナット２０を締め上げ、ナット２０と取付金具９との間に取付部１０を挟みこむ。また、ナット２０を締め上げることにより、取付金具９の挿入片２２が取付部１０の挿入溝２３へ挿入される。これにより、枠部１がスライドして取付孔１４と小孔１５−２とに嵌合した２つのねじ１９が外れることを防止でき、確実に取付部１０が取付金具９に固定される。つまり、取付金具９に枠部１が確実に固定される。その結果、表示装置１００は、取付面に固定される。
なお、（４）で、ねじ１９は、広開部１７あるいは電源線引込孔１３へ嵌入するとしたが、配線保護壁１８がゴム等の弾性体であれば、広開部１７と電源線引込孔１３とに跨って嵌入するとしても構わない。
【００１２】
ここで、広開部１７は、（４）で電源線引込孔１３にねじ１９が嵌入された場合、ねじ１９を取付孔１４へ移動し易くする役割も果たす。つまり、電源線引込孔１３と取付孔１４との孔の径の大きさには少なくとも電源線分の差があり、電源線引込孔１３から取付孔１４へねじ１９を容易に移動できないことが考えられる。そこで、電源線引込孔１３よりも小さい径の孔であって、取付孔１４よりも大きい径の孔である広開部１７を電源線引込孔１３と取付孔１４との間に設けることにより、電源線引込孔１３から取付孔１４へねじ１９を容易に移動可能にする。特に、広開部１７は、電源線引込孔１３側から取付孔１４側へ向かって徐々に幅が狭く（孔の径が小さく）なっている。そのため、特に、電源線引込孔１３から取付孔１４へねじ１９を容易に移動させることができる。
また、上述したように、電源線引込孔１３にねじ１９を嵌入する場合には、電源線引込孔１３と取付孔１４との孔の径の大きさには少なくとも電源線分の差が必要である。これは、取付孔１４は、ねじ１９と嵌合する大きさの孔であるのに対して、電源線引込孔１３は、電源線を引き込むとともに、ねじ１９が挿入される孔であるためである。つまり、電源線引込孔１３にねじ１９を嵌入する場合、電源線引込孔１３の径は、少なくとも電源線の径とねじ１９のナット２０の径との和以上である。
【００１３】
配線保護壁１８は、（４）で取付孔１４へねじ１９を移動させる際、ねじ１９とともに電源線までも電源線引込孔１３から取付孔１４へ移動することや、表示装置１００を取付面に固定した後に電源線が電源線引込孔１３から取付孔１４へ移動することを防止するための部材である。ねじ１９、補強板２１、取付金具９等は、金属等の硬い物質であることが考えられる。そのため、配線保護壁１８は、電源線が電源線引込孔１３から取付孔１４へ移動して、ねじ１９と取付孔１４や広開部１７等の孔の淵との間に挟まれ、傷ついてしまうことや、取付部１０が取付金具９に固定された後、取付金具９の金具電源線引込孔１２のエッジにより傷つけられることを防止する。なお、電源線引込孔１３の周囲には、配線保護壁１８が設けられた部分を除きリブ２４が立っている。取付部１０が取付金具９に取り付けられると、取付金具９の金具電源線引込孔１２の内側にリブ２４が挿入される。つまり、電源線引込孔１３のうち、配線保護壁１８により電源線が保護されていない部分については、電源線が金具電源線引込孔１２のエッジにより傷つけられることをリブ２４により防止している。２つの配線保護壁１８の間隔は、ねじ１９の幅より広く、電源線の径よりも狭いのでねじ１９が電源線引込孔１３と広開部１７を移動する妨げとならない。一方で、配線保護壁１８は、電源線により押されても折れ曲がることのない程度の強度または弾性を有しており、電源線の移動を防止することができる。また、配線保護壁１８は、樹脂やゴム等であるため、電源線と接触しても電源線を傷つけることはない。
【００１４】
以上のように、この実施の形態に係る通電機器は、ダルマ孔を設けることにより取付面への取り付け作業を容易にしただけでなく、ダルマ孔の径の大きい方の孔と電源線引込孔１３とを共用あるいは連続にすることで、器具本体３に開ける孔の数あるいは面積を減らすことができる。これにより、小型化、薄型化することができる。
【００１５】
実施の形態２．
この実施の形態では、取付部１０の構造の他の例について説明する。
図４は、取付部１０の構造の他の例を示す図である。ここでは、取付部１０の構造のみを示すが、取付部１０の構造が変われば、合わせて取付金具９の構造も変わる。
【００１６】
（ａ）に示す取付部１０の取付孔１４は、電源線引込孔１３と取付孔１６とが隣接し、開口が連続しており、その間に広開部１７や配線保護壁１８は設けられていない。また、（ａ）に示す取付部１０の取付孔１４は、長円形に形成されている。長円形に形成された取付孔１４の奥までねじ１９を嵌合させることにより、取付部１０を取付金具９に仮止めすることができ、さらに、ナット２０を増し締めすることで取付部１０を取付金具９に固定することができる。
（ｂ）に示す取付部１０は、（ａ）に示す取付部１０に広開部１７が設けられている。。広開部１７が設けられていることにより、ねじ１９が電源線引込孔１３へ嵌入された場合でも、ねじ１９を取付孔１４へ容易にスライドさせることができる。
（ｃ）に示す取付部１０は、（ｂ）に示す取付部１０に配線保護壁１８を設けたものである。配線保護壁１８により、電源線引込孔１３に挿入された電源線が金具電源線引込孔１２のエッジやねじ１９等により傷つくことを防止できる。
（ｄ）に示す取付部１０は、（ｃ）に示す配線保護壁１８の他の実施例である。（ｄ）に示すように、配線保護壁１８を電源線引込孔１３と広開部１７との間を塞ぐように設けても構わない。このようにすることで、電源線が取付孔１４へ移動することを確実に防止できる。また、この場合には、取付時にねじ１９を必ず広開部１７へ嵌入する必要がある。しかし、配線保護壁１８をゴム等の弾性体とすることで、ねじ１９を広開部１７へ嵌入する際、配線保護壁１８へねじ１９を押し当てて配線保護壁１８を変形させながら嵌入することができ、広開部１７への嵌入が容易に行える。
なお、（ａ）〜（ｄ）に示す取付部１０は、表示装置１００を薄型化した場合に配線スペースを広く取ることを可能にするため、電源線引込孔１３の形状を長円形としたものであるが、長方形や円形としても構わない。
【００１７】
以上のように、取付部１０は様々な構成とすることができる。取付部１０をいずれの構成とした場合であっても、通電機器は、ねじ等の取付部材を用いることなく取付面へ固定することが可能である。そのため、小型化、薄型化された場合であっても容易に取付面へ取り付けすることができる。
【００１８】
なお、上記説明においては、取付金具９を介して表示装置１００を取付面へ固定するとした。しかし、取付金具９を用いず、直接枠部１の取付部１０を取付面へ固定してもよい。
図５に基づき、直接枠部１の取付部１０を取付面へ固定する方法について説明する。図５は、取付面と、取付部１０との断面図である。図５の取付部１０は、図１のＢ−Ｂ’断面図である。
図５に示すように、ねじ１９を取付金具９ではなく、取付面に固定しておく。この際、ねじ１９の頭１９−１（頭部）を取付面から少し離した状態で、取付面に固定する。そして、取付面に固定されたねじ１９に取付部１０を固定することにより、表示装置１００を取付面に固定することができる。
表示装置１００を取付金具９を介して取付面へ固定する場合、取付金具９に固定したねじ１９にナット２０を取り付ける必要があった。これは、取付部１０の取付孔１４と小孔１５−１との背面にナット２０引っ掛けることにより、取付部１０を取付金具９に取り付けたためである。しかし、直接枠部１の取付部１０を取付面へ固定する場合、ねじ１９にはナット２０を取り付けておく必要はない。これは、ねじ１９を取付面に固定する場合、ねじ１９の胴部１９−２を取付面へねじ込んで固定し、ねじ１９の頭１９−１が取付面から少し離した（飛び出した）状態とすることができるためである。つまり、ねじ１９の頭がナット２０の役割を果たすことができるためである。
【００１９】
上記説明では、ねじを取付部材の一例として用い説明した。しかし、取付部材は、ねじに限られるものではなく、釘等であっても構わない。また、表示装置１００を取付金具９を介して取付面へ固定する場合に用いたねじ１９とナット２０の代わりに、先端がフック状になった部材を取付金具９に固定するとしても構わない。
【００２０】
また、上記説明では、誘導灯を通電機器の一例として説明したが、その他の照明器具や、照明器具以外の時計や音響機器等の通電機器であっても構わない。つまり、器具本体３には、情報表示部２が備えられることに限定されるものではなく、また、ランプホルダユニット４等が取り付けられることに限定されるものでもない。つまり、器具本体３には、時計やスピーカー等の機器が取り付けられるとしても構わない。
【００２１】
また、金具取付孔１１、金具電源線引込孔１２、電源線引込孔１３、取付孔１４、ダルマ孔１５、取付孔１６は、ノックアウトであっても構わない。
【００２２】
つまり、上記実施の形態に係る通電機器は、取付面に取り付けられる通電機器であり、  取付孔と、上記取付孔と隣接して開口部の一部が連続するとともに上記取付孔よりも径が大きい孔であって電源線を引き込むための電源線引込孔とが設けられた器具本体と、
上記器具本体に取り付けられる通電部品とを備え、
上記取付面に固定された取付部材を上記電源線引込孔に嵌入して上記器具本体を上記取付面の面方向へスライドさせることにより、上記取付孔に上記取付部材を嵌合して上記器具本体が上記取付面に固定される
ことを特徴とする。
【００２３】
上記通電機器は、さらに、
取付面に固定され、上記取付部材を取り付ける取付金具を備え、
上記取付金具に取り付けられた取付部材を上記電源線引込孔に嵌入して上記器具本体を上記取付面の面方向へスライドさせることにより、上記取付孔に上記取付部材を嵌合して上記器具本体が上記取付面に固定される
ことを特徴とする。
【００２４】
上記器具本体は、複数の取付孔と、上記複数の取付孔の少なくとも１つと隣接して開口部の一部が連続した電源線引込孔とが設けられ、
上記取付面に固定された取付部材を上記電源線引込孔に嵌入して上記器具本体を上記取付面の面方向へスライドさせることにより、上記取付孔に上記取付部材を嵌合するとともに、上記電源線引込孔と連続していない取付孔に所定の固定部材を通して上記所定の固定部材を上記取付面に固定することにより、上記器具本体が上記取付面に固定される
ことを特徴とする。
【００２５】
上記器具本体は、さらに、大孔と小孔とが隣接して開口部の一部が連続したダルマ孔が設けられ、上記取付面に固定された第１の取付部材を上記電源線引込孔と嵌入するとともに、上記取付面に固定された第２の取付部材を上記ダルマ孔の大孔に嵌入して上記器具本体を上記取付面の面方向へスライドさせることにより、上記取付孔に上記第１の取付部材を嵌合するとともに、上記ダルマ孔の小孔に上記第２の取付部材を嵌合して上記器具本体が上記取付面に固定される
ことを特徴とする。
【００２６】
上記器具本体は、長円形の取付孔と、上記長円形の取付孔と隣接して開口部の一部が連続した電源線引込孔とが設けられた
ことを特徴とするとする。
【００２７】
上記器具本体は、取付孔と、上記取付孔と隣接して開口部の一部が連続した円形又は長円形の電源線引込孔とが設けられた
ことを特徴とする。
【００２８】
上記通電機器は、さらに、
上記取付孔と上記電源線引込孔との境界部分に、上記電源線引込孔から引き込まれた電源線を保護するための配線保護壁
を備えることを特徴とする。
【００２９】
上記取付部材は、
上記取付孔よりも径が小さい胴部と、
上記取付孔よりも径が大きく、かつ、上記電源線引込孔よりも径が小さい頭部とを有し、
頭部、胴部の順に上記取付部材を上記電源線引込孔へ嵌入して、上記器具本体を上記取付面の面方向へスライドさせることにより、取付孔を貫通させ、頭部を取付孔の背面に引っ掛ける
ことを特徴とする。
【００３０】
上記通電機器であって、
上記通電部品は、
避難誘導を示す図柄が表示された情報表示部と、
上記情報表示部に光を入射する光源と、
上記光源の点灯制御をする点灯制御部と
を有することを特徴とする。
【符号の説明】
【００３１】
１  枠部、２  情報表示部、３  器具本体、４  ランプホルダユニット、５  点灯制御部、６  バッテリー、７  取付部、８  端子台、９  取付金具、１０  取付部、１１  金具取付孔、１２  金具電源線引込孔、１３  電源線引込孔、１４，１６  取付孔、１５  ダルマ孔、１７  広開部、１８  配線保護壁、１９  ねじ、２０  ナット、２１  補強板、２２  挿入片、２３  挿入溝、２４  リブ、１００  表示装置。
【図１】
0005583252.tif 000002
【図２】
0005583252.tif 000003
【図３】
0005583252.tif 000004
【図４】
0005583252.tif 000005
【図５】
0005583252.tif 000006